(57)【要約】【課題】精査処理時に貨幣処理装置で記録されている情報を容易に確認する。【解決手段】貨幣処理装置を、貨幣を収納する収納部と、貨幣を取り出す際に開閉する部位の開閉を検知する検知センサと、検知センサによる検知結果が保存される記憶部と、収納部に収納されている貨幣を計数して得られた計数結果と収納部に収納されている貨幣の在高として管理されている在高データとを比較する精査処理の結果を出力する指示を受けて、最新の精査処理の結果と共に、最新の精査処理と該精査処理の前に行われた精査処理との間に記憶部に保存された検知センサによる検知履歴を出力する制御部とによって構成する。【選択図】  図２
2016181218.tif 000002
【特許請求の範囲】
【請求項１】
貨幣を収納する収納部と、
貨幣を取り出す際に開閉する部位の開閉を検知する検知センサと、
前記検知センサによる検知結果が保存される記憶部と、
前記収納部に収納されている前記貨幣を計数して得られた計数結果と前記収納部に収納されている前記貨幣の在高として管理されている在高データとを比較する精査処理の結果を出力する指示を受けて、最新の精査処理の結果と共に、最新の精査処理と該精査処理の前に行われた精査処理との間に前記記憶部に保存された前記検知センサによる検知結果を出力する制御部と
を備えることを特徴とする貨幣処理装置。
【請求項２】
前記記憶部には前記貨幣処理装置で発生したエラーに関する情報が保存され、
前記制御部は、前記精査処理の結果を出力する指示を受けた際に、前記最新の精査処理と該精査処理の前に行われた精査処理との間に前記記憶部に保存された前記エラーに関する情報を出力する
ことを特徴とする請求項１に記載の貨幣処理装置。
【請求項３】
前記制御部による出力情報を印字したジャーナルを出力するプリンター
をさらに備えることを特徴とする請求項２に記載の貨幣処理装置。
【請求項４】
前記制御部は、前記プリンターを制御して、前記精査処理の結果、前記検知センサによる検知履歴及び前記エラーに関する情報を１枚のジャーナルに印字して出力することを特徴とする請求項３に記載の貨幣処理装置。
【請求項５】
前記貨幣処理装置の電源がオフにされた後も、前記検知センサによる検知結果を前記記憶部に保存する処理が継続して行われることを特徴とする請求項１〜４のいずれか１項に記載の貨幣処理装置。
【請求項６】
前記制御部は、前記貨幣処理装置の電源がオフにされた後に再びオンにされた場合には、前記検知センサによる検知結果を出力する操作が行われるまで、貨幣処理を指示する操作を受け付けないことを特徴とする請求項５に記載の貨幣処理装置。
【発明の詳細な説明】
【技術分野】
【０００１】
この発明は、貨幣を入出金するために利用する貨幣処理装置に関する。
【背景技術】
【０００２】
従来、金融機関の窓口では、顧客から依頼を受けた窓口係が貨幣処理装置を利用して様々な処理を行っている。例えば、特許文献１には、紙幣を入出金するために利用する現金処理機が開示されている。金融機関で利用される貨幣処理装置は、入出金する貨幣を識別計数する機能を有し、装置内に収納されている貨幣の金種及び枚数（金額）を在高データとして管理している。また、貨幣処理装置は、例えば金融機関の営業時間の終了後に、装置内の貨幣を１枚ずつ計数して、得られた計数結果が、計数前に装置内で管理していた貨幣の在高データと一致することを確認する精査処理を行う機能を有する。
【先行技術文献】
【特許文献】
【０００３】
【特許文献１】特開２００３−０３０７２１号公報
【発明の概要】
【発明が解決しようとする課題】
【０００４】
しかしながら、上記従来技術では、精査処理を行った結果、在高データと装置内の貨幣全てを計数した結果とが一致しない違算が発生した場合には、原因を調査するため、貨幣処理装置で記録されている様々なデータを確認する作業に手間と時間がかかるという問題があった。具体的には、前回の精査処理から、違算が発生した精査処理が行われる迄の間に、貨幣処理装置で行われた各取引（貨幣処理）の内容や貨幣処理装置で発生したエラー等、貨幣処理装置で記録されている様々な情報の確認に手間と時間がかかっていた。
【０００５】
本発明は、上述した従来技術による問題点を解消するためになされたもので、精査処理の実行時等に、貨幣処理装置で記録されている情報を容易に確認することができる貨幣処理装置を提供することを目的とする。
【課題を解決するための手段】
【０００６】
上述した課題を解決し、目的を達成するため、本発明は、貨幣処理装置であって、貨幣を収納する収納部と、貨幣を取り出す際に開閉する部位の開閉を検知する検知センサと、前記検知センサによる検知結果が保存される記憶部と、前記収納部に収納されている前記貨幣を計数して得られた計数結果と前記収納部に収納されている前記貨幣の在高として管理されている在高データとを比較する精査処理の結果を出力する指示を受けて、最新の精査処理の結果と共に、最新の精査処理と該精査処理の前に行われた精査処理との間に前記記憶部に保存された前記検知センサによる検知結果を出力する制御部とを備えることを特徴とする。
【０００７】
また、本発明は、上記発明において、前記記憶部には前記貨幣処理装置で発生したエラーに関する情報が保存され、前記制御部は、前記精査処理の結果を出力する指示を受けた際に、前記最新の精査処理と該精査処理の前に行われた精査処理との間に前記記憶部に保存された前記エラーに関する情報を出力することを特徴とする。
【０００８】
また、本発明は、上記発明において、前記制御部による出力情報を印字したジャーナルを出力するプリンターをさらに備えることを特徴とする。
【０００９】
また、本発明は、上記発明において、前記制御部は、前記プリンターを制御して、前記精査処理の結果、前記検知センサによる検知履歴及び前記エラーに関する情報を１枚のジャーナルに印字して出力することを特徴とする。
【００１０】
また、本発明は、上記発明において、前記貨幣処理装置の電源がオフにされた後も、前記検知センサによる検知結果を前記記憶部に保存する処理が継続して行われることを特徴とする。
【００１１】
また、本発明は、上記発明において、前記制御部は、前記貨幣処理装置の電源がオフにされた後に再びオンにされた場合には、前記検知センサによる検知結果を出力する操作が行われるまで、貨幣処理を指示する操作を受け付けないことを特徴とする。
【発明の効果】
【００１２】
本発明によれば、貨幣処理装置から貨幣を取り出す際に開く必要があるドアやユニットに、これらが開いたことを検知できるように検知センサが設けられており、検知センサによる検知結果を検知履歴として記憶部に保存することができる。そして、精査処理の結果を出力する際には、今回行った精査処理の結果と共に、前回の精査処理を行ってから今回の精査処理を行うまでの間に記録された前記検知センサによる検知結果を、検知履歴として出力することができるので、ドアやユニットが開いていればこれを認識することができる。精査処理を行った結果、貨幣処理装置で管理されていた在高データと、貨幣処理装置に収納されていた貨幣を実際に計数した計数結果とが一致しない違算が発生した場合には、検知センサによる検知履歴に基づいて違算の原因を調査することができる。
【００１３】
また、本発明によれば、貨幣処理装置で検知されたエラーを記録したエラー履歴も記憶部に保管されるので、精査処理の結果を出力する際に、エラー履歴を出力することができる。これにより、例えば、営業時間の終了後に、営業時間中に貨幣処理装置のドアやユニットが開いておらずエラーも生じていないことを確認できた場合には、違算を生ずることはないとして精査処理を省略するといった運用を行うことも可能となる。
【００１４】
また、本発明によれば、貨幣処理装置の電源をオフにして貨幣処理が行われない間も検知センサを動作させて、ドアやユニットが開いた場合には、これを示す情報を記憶部に保存することができる。これにより、例えば、前日の営業時間の終了後に精査処理を行った後、翌朝、検知センサによる検知履歴を確認して、ドアやユニットが開いた形跡がなければ、前日の精査処理で確認した貨幣がそのまま貨幣処理装置内に収納されているものとして精査処理を省略して営業を開始するといった運用を行うことも可能となる。
【００１５】
また、本発明によれば、プリンターを利用して、精査処理の結果、検知センサによる検知結果を記録した検知履歴、エラーに関する情報を記録したエラー履歴等を印字したジャーナルを出力することができるので、このジャーナルを保管することにより、貨幣処理装置の状態や貨幣処理装置で行われた貨幣処理に関する情報を管理することができる。
【図面の簡単な説明】
【００１６】
【図１】図１は、本実施形態に係る貨幣処理装置の外観と、貨幣処理装置を含むシステムの構成例を示す模式図である。
【図２】図２は、貨幣処理装置の機能構成概略を示すブロック図である。
【図３】図３は、ジャーナル印字のメニュー画面を示す図である。
【図４】図４は、メニュー画面で「自動精査結果」を選択した際に出力されるジャーナルの例を示す図である。
【図５】図５は、メニュー画面で「精査後エラー扉開」を選択した際に出力されるジャーナルの例を示す図である。
【図６】図６は、メニュー画面で「装置内在高」を選択した際に出力されるジャーナルの例を示す図である。
【図７】図７は、メニュー画面で「ＡＣＡＤカウンタ」を選択した際に出力されるジャーナルの例を示す図である。
【図８】図８は、メニュー画面で「装填・回収」を選択した際に出力されるジャーナルの例を示す図である。
【図９】図９は、営業時間の終了後に貨幣処理装置で行う処理の流れを示すフローチャートである。
【図１０】図１０は、営業を開始する前に貨幣処理装置で行う処理の流れを示すフローチャートである。
【発明を実施するための形態】
【００１７】
以下に、添付図面を参照して、本発明に係る貨幣処理装置について詳細に説明する。図１は、本実施形態に係る貨幣処理装置１の外観と、貨幣処理装置１を含むシステムの構成例を示す模式図である。
【００１８】
図１では、貨幣処理装置１に加えて、貨幣処理装置１に接続して利用するプリンター２及び操作端末３を示している。プリンター２は、貨幣処理装置１に関する情報や、貨幣処理装置１で行われた貨幣処理に関する情報を印字する機能を有する。また、操作端末３は、操作部及び表示部を備えるコンピュータ装置から成り、例えば、入金処理時に入金される貨幣の識別計数結果の表示や、出金処理時に出金する貨幣の金種や枚数（金額）の指定等、各種情報の入力及び出力を行うために利用される。プリンター２及び操作端末３は、貨幣処理装置１と接続された状態で貨幣処理装置１の近傍で利用されるもので、貨幣処理装置１の一部の機能を実現する機能部とみなすことができる。よって、貨幣処理装置１、プリンター２及び操作端末３によってシステムを構成する態様に限定されるものではなく、貨幣処理装置１がプリンター２及び操作端末３による動作及び機能を実現して単体で動作する態様であっても構わない。
【００１９】
貨幣処理装置１は、筐体の上面に、タッチパネル式の液晶表示装置から成る操作表示部１０と、左右両側に設けられた２つの操作ボタン１１（１１ａ、１１ｂ）とを備えている。例えば、１台の貨幣処理装置１を銀行の窓口に設置して、２人の窓口係が左右両側から利用する際に、窓口係は、操作ボタン１１ａ、１１ｂを押して、貨幣処理装置１を自分の専有状態にしてから貨幣処理を実行する。操作ボタン１１又は操作ボタン１１近傍に、貨幣処理装置１が左右いずれの窓口係によって専有されているかを示す図示しない専有ランプが設けられている。操作表示部１０は、操作端末３と同様に識別計数結果の表示や貨幣処理装置１の操作に利用可能である。
【００２０】
貨幣処理装置１は、硬貨を入金するための硬貨入金口３１と、紙幣を入金するための紙幣入金口２１と、紙幣を出金するための紙幣出金口２２と、入金処理時に発生したリジェクト紙幣を排出するための紙幣リジェクト部２３とを有している。また、貨幣処理装置１は、紙幣リジェクト部２３の左右両側に、硬貨を出金するための硬貨出金口３２と、硬貨出金口３２から出金された硬貨を収納する硬貨ボックス３３とを有している。硬貨出金口３２及び硬貨ボックス３３は入金処理時に発生したリジェクト硬貨を排出する際にも利用される。
【００２１】
図２は、貨幣処理装置１の機能構成概略を示すブロック図である。図１に示した構成の他に、貨幣処理装置１の筐体内部には、紙幣を搬送する紙幣搬送部２４と、紙幣搬送部２４で搬送される紙幣の金種、真偽、正損等を識別する紙幣識別部２５と、紙幣識別部２５が装置内に収納可能と判定した紙幣が金種別に収納される紙幣収納部２６と、硬貨を搬送する硬貨搬送部３４と、硬貨搬送部３４によって搬送される硬貨の金種、真偽、正損等を識別する硬貨識別部３５と、硬貨識別部３５が装置内に収納可能と判定した硬貨が金種別に収納される硬貨収納部３６と、各部を制御する制御部４０と、各種データが保存される記憶部５０と、装置各部の開閉及び脱着を検知するための開閉・脱着検知センサ７０と、プリンター２や操作端末３等の外部装置との間で通信を行うための通信インターフェイス６０とを有している。
【００２２】
紙幣入金口２１、紙幣出金口２２、紙幣リジェクト部２３、紙幣搬送部２４、紙幣識別部２５及び紙幣収納部２６によって紙幣処理部２０が構成される。紙幣処理部２０では、紙幣入金口２１に載置された紙幣を１枚ずつ装置内に繰り出して紙幣搬送部２４によって搬送し、紙幣識別部２５によって識別して、入金できない紙幣を紙幣リジェクト部２３へリジェクトしながら入金可能な紙幣を紙幣収納部２６に金種別に収納する入金処理を行うことができる。また、紙幣処理部２０では、操作端末３で指定された金種及び枚数の紙幣を、紙幣収納部２６から繰り出して紙幣搬送部２４によって搬送して、紙幣出金口２２へ排出する出金処理を行うことができる。
【００２３】
また、硬貨入金口３１、硬貨出金口３２、硬貨ボックス３３、硬貨搬送部３４及び硬貨識別部３５及び硬貨収納部３６によって硬貨処理部３０が構成される。硬貨処理部３０では、硬貨入金口３１に投入された硬貨を硬貨搬送部３４によって１枚ずつ搬送し、硬貨識別部３５によって識別して、入金できない硬貨を硬貨出金口３２から硬貨ボックス３３へリジェクトしながら入金可能な硬貨を硬貨収納部３６に金種別に収納する入金処理を行うことができる。また、硬貨処理部３０では、操作端末３で指定された金種及び枚数の硬貨を、硬貨収納部３６から繰り出して硬貨搬送部３４によって搬送して、硬貨出金口３２から硬貨ボックス３３へ排出する出金処理を行うことができる。
【００２４】
また、紙幣処理部２０では、紙幣収納部２６に収納されている紙幣を１枚ずつ繰り出して紙幣搬送部２４によって搬送し、紙幣識別部２５によって識別計数した後、再び紙幣収納部２６へ搬送して収納することにより、紙幣収納部２６に収納されている紙幣を計数することができる。制御部４０は、この計数結果と、紙幣収納部２６に収納されている紙幣の在高データとを比較することによって精査処理を実行する。同様に、硬貨処理部３０でも、硬貨収納部３６に収納されている硬貨を計数することが可能であり、制御部４０は、得られた計数結果と、硬貨収納部３６に収納されている硬貨の在高データとを比較することによって精査処理を実行する。
【００２５】
この他、紙幣処理部２０及び硬貨処理部３０は、紙幣や硬貨を一時的に収納する一時保留部、出金時にリジェクトされた紙幣や硬貨を収納する出金リジェクト部等を含む場合があるが、これらの構成を含め、紙幣処理部２０及び硬貨処理部３０の構成、機能及び動作は従来知られているため詳細な説明は省略し、以下では本実施形態の説明に必要な内容のみを記載する。
【００２６】
図１に示すように、貨幣処理装置１の下部には開閉可能な扉１２が設けられており、この扉１２を開いて装置内の下部ユニットを装置前面側へ引き出せるようになっている。紙幣収納部２６は下部ユニットに設けられている。紙幣収納部２６には、装置内に固定して利用する紙幣スタッカーと、装置に対して脱着して利用する紙幣カセットとが含まれる。具体的には、紙幣収納部２６の少なくとも１つが紙幣カセットになっており、下部ユニットに対して脱着できるようになっている。
【００２７】
また、扉１２より上側で入金口や出金口が設けられている部分もユニット化されており、この上部ユニットについても、装置前面側へ引き出せるようになっている。硬貨収納部３６には、装置内に固定して利用する硬貨スタッカーと、装置に対して脱着して利用する硬貨カセットとが含まれる。硬貨スタッカーは上部ユニット内に設けられ、硬貨カセットは下部ユニットに対して脱着できるようになっている。
【００２８】
図２に示すように、貨幣処理装置１には開閉・脱着検知センサ７０が設けられている。開閉・脱着検知センサ７０は、装置内から貨幣を取り出す作業を行う際に開閉する各部位に設けられる。具体的には、紙幣収納部２６、すなわち紙幣スタッカー又は紙幣カセットから紙幣を取り出す際には、扉１２を開いて下部ユニットが引き出されるため、扉１２が開いたことを検知する扉センサ７２と、下部ユニットが引き出されたことを検知する下部ユニットセンサ７３とが設けられている。また、硬貨収納部３６のうち硬貨スタッカーから硬貨を取り出す際には上部ユニットが引き出されるため、上部ユニットが引き出されたことを検知する上部ユニットセンサ７１が設けられている。また、硬貨収納部３６のうち硬貨カセットから硬貨を取り出す際には、扉１２を開いて下部ユニットが引き出されるため、これを扉センサ７２及び下部ユニットセンサ７３によって検知できるようになっている。
【００２９】
また、下部ユニットには、硬貨カセットの取り外し及び紙幣カセットの取り外しを検知するカセットセンサ７４が設けられている。また、この他、紙幣リジェクト部２３が開いたことを検知するセンサや、硬貨ボックス３３が取り外されたことを検知するセンサも設けられている。
【００３０】
開閉・脱着検知センサ７０を構成する各センサによって、各部位の開閉や脱着が検知されると、制御部４０は、開閉や脱着が検知された部位と検知日時とを、センサログデータ５１として、記憶部５０に保存する。センサログデータ５１を参照することにより、貨幣処理装置１のどの部位がいつ開閉されたのかを確認できるようになっている。
【００３１】
なお、各センサによる検知結果を記録する際には、ドアやユニットを開いたり取り外したりした日時と、ドアやユニットを閉じたり取り付けたりした日時とのいずれか一方又は両方を記録するよう設定することができる。例えば、扉１２が開いた日時のみを記録して、扉１２が閉じた日時は記録しないように設定することもできる。
【００３２】
貨幣処理装置１では、紙幣処理部２０で入出金する紙幣を監視することにより装置内に収納されている各金種の紙幣の枚数（金額）が管理されている。同様に、硬貨処理部３０で入出金する硬貨を監視することにより硬貨収納部３６に収納されている各金種の硬貨の枚数（金額）が管理されている。紙幣収納部２６に収納されている紙幣に関するデータ及び硬貨収納部３６に収納されている硬貨に関するデータが、貨幣処理装置１内に収納されている貨幣の在高を示す在高データである。制御部４０は、貨幣の在高データを、貨幣処理データ５２の一部として記憶部５０に記録して管理している。
【００３３】
この他、貨幣処理データ５２には、貨幣処理装置１で行われた紙幣の装填処理、回収処理、入金処理及び出金処理等の各紙幣処理に関するデータが蓄積される。また、貨幣処理データ５２には、貨幣処理装置１で行われた硬貨の装填処理、回収処理、入金処理及び出金処理等の各硬貨処理に関するデータも蓄積される。貨幣処理データ５２を参照することにより、貨幣処理装置１で行われた各処理がいつ行われて、各処理でどのような種類の貨幣が何枚処理され、処理された各貨幣が装置内に収納されたのか装置外へ排出されたのか等を確認できるようになっている。
【００３４】
また、制御部４０は、貨幣処理装置１で精査処理が行われると、精査処理が行われた日時及び精査処理の結果を、精査処理データ５３として、記憶部５０に記録する。精査処理データ５３を参照することにより、貨幣処理装置１で行われた精査処理の日時や、各精査処理の結果等を確認できるようになっている。
【００３５】
貨幣処理装置１では、紙幣処理部２０及び硬貨処理部３０で貨幣を搬送する搬送路に貨幣の搬送状態を検知するセンサが設けられており、搬送中の貨幣で搬送エラーが起きるとこれを検知できるようになっている。また、貨幣処理装置１では、紙幣処理部２０及び硬貨処理部３０で貨幣の収納及び繰り出しを行う収納部にもセンサが設けられており、貨幣の収納時に起きたエラー及び貨幣の繰り出し時に起きたエラーを検知できるようになっている。また、この他、貨幣処理装置１には、下部ユニットに対する硬貨カセットの取付不良及び下部ユニットに対する紙幣カセットの取付不良を検知するセンサも設けられている。制御部４０は、これらのセンサによってエラーが検知されると、搬送エラー、収納エラー、繰り出しエラー、脱着エラー等のエラーの種類と、このエラーが検知された日時等を、エラーログデータ５４として、記憶部５０に記録する。エラーログデータ５４を参照することにより、貨幣処理装置１のどの部位で、いつどのようなエラーが生じたのかを確認できるようになっている。
【００３６】
開閉・脱着検知センサ７０を構成する各センサ７１〜７４、制御部４０及び記憶部５０は、貨幣処理装置１の電源をオンにして貨幣処理を行っている間だけではなく、夜間や休日等、貨幣処理装置１の電源をオフにしている間も動作を継続する。そして、各部位の開閉や脱着が検知された場合には、これを記憶部５０のセンサログデータ５１に記録するようになっている。なお、記憶部５０は、半導体メモリやハードディスク等から成る不揮発性の記憶装置であり、電源供給が停止されても記録されたデータを保持できるようになっている。
【００３７】
貨幣処理装置１では、操作端末３又は操作表示部１０を操作することにより、プリンター２からジャーナルを出力することができる。ジャーナルには、記憶部５０に保存されているデータに基づいて各種情報を印字することができるが、詳細は後述する。また、ジャーナル印字を指示する操作は、操作端末３又は操作表示部１０を操作して行うことができるが、以下では、貨幣処理装置１が備える操作表示部１０を操作して行う場合を例に説明する。
【００３８】
図３は、操作表示部１０に表示されるジャーナル印字のメニュー画面を示す図である。ジャーナル印字のメニュー画面には、「自動精査結果」、「装置内在高」、「装填・回収」、「精査後エラー扉開」及び「ＡＣＡＤカウンタ」の５つのメニューが表示される。
【００３９】
図４は、メニュー画面で「自動精査結果」を選択した際にプリンター２から出力されるジャーナルの例を示す図である。図３に示すメニュー画面で「自動精査結果」を選択すると、貨幣処理装置１の制御部４０は、記憶部５０を参照して、センサログデータ５１、貨幣処理データ５２、精査処理データ５３及びエラーログデータ５４に基づいて、プリンター２からジャーナルを出力する。
【００４０】
図４の例は、このジャーナルが、２０１４年７月１５日の１５：３０に出力されたものであることを示している。このジャーナルは、最後に精査処理が行われたのが２０１４年７月１２日の１５：４０で、その前に精査処理が行われたのが２０１４年７月８日の１６：２０である場合の例である。すなわち、最新の精査処理データは、２０１４年７月１２日の１５：４０の精査処理に関するものである。
【００４１】
図４に示すように、ジャーナルには、「紙幣」として紙幣に関するデータが印字され、「硬貨」として硬貨に関するデータが印字される。また、「エラー／扉開履歴」として、センサログデータ５１及びエラーログデータ５４から抽出された履歴データが印字される。また、ジャーナルの一番下には、貨幣処理装置１を特定可能な情報が印字される。図４の例では「Ａ−００１」の装置名及び製造番号で特定される貨幣処理装置１で出力されたジャーナルであることを示している。
【００４２】
紙幣に関するデータ及び硬貨に関するデータには、それぞれ、在高データを示す「当初在高」と、精査処理で得られた計数結果を示す「計数結果」と、在高データと精査処理との差額を示す「差額」とが含まれている。「当初在高」の項目では、在高データとして管理されている金種別の枚数及び金額と、これらの合計金額とが印字される。「計数結果」の項目では、精査処理で得られた金種別の枚数及び金額と、これらの合計金額とが印字される。また、「差額」の項目では、在高データと精査処理による計数結果とを比較した金種別の枚数及び金額と、これらの合計金額とが印字される。図４に示す例では、在高データである「当初在高」と、精査処理による計数結果である「計数結果」とが一致する例を示しているが、在高データと精査処理結果とが異なる場合には、「差額」の項目に、違算が生じた各金種の枚数及び金額と合計金額とが印字される。
【００４３】
「エラー／扉開履歴」の項目では、最後に行われた精査処理、すなわち最新の精査処理から、その前に行われた精査処理まで遡って、この間に検知されたエラーと、扉１２の開放、上部ユニットの引き出し、下部ユニットの引き出し、貨幣カセットの取り外し等の検知結果とが印字される。図４の例では、最後に行われた精査処理の日時が２０１４年７月１２日の１５：４０であり、その直前に行われた精査処理の日時が２０１４年７月８日の１６：２０であることから、「最新の精査〜前回の精査」を７月１２日の１５：４０から７月８日の１６：２０迄として、この間に、貨幣処理装置１で検知されたエラー及び各部位の開閉に関する履歴が印字されている。具体的には、図４に示すジャーナルから、紙幣リジェクト部２３が開いたこと、硬貨カセットを下部ユニットにセットする際にセット不良が生じたこと、紙幣カセットを下部ユニットにセットする際にセット不良が生じたこと、上部ユニットが装置外に引き出されたことが分かり、それぞれが検知された日時を確認することができる。
【００４４】
図４に示す例では、在高データと精査処理による計数結果との間に違算はないため問題はないが、違算が生じている場合には、エラー／扉開履歴として印字される各部位の開閉に関するデータや、エラーに関するデータに基づいて、違算が生じた原因を調査することができる。
【００４５】
なお、図４にはエラーの発生履歴及び上部ユニット等が開いた履歴が存在する場合の例を示したが、エラーが発生しておらずかつ扉１２等が開放された履歴も存在しない場合もある。このような場合には、ジャーナル下部に、エラー／扉開履歴として、データがないことを示す情報を印字する態様であってもよいし、紙幣に関するデータ及び硬貨に関するデータのみを印字して、ジャーナルにエラー／扉開履歴を印字しない態様であっても構わない。
【００４６】
また、印字メニューの画面で自動精査結果を選択した際に印字される内容については、設定により変更できるようになっている。具体的には、ジャーナルに、エラー／扉開履歴を印字するか否かを、設定により変更できるようになっている。このとき、エラー／扉開履歴として、エラーの発生履歴及び扉１２等の開放履歴の両方を印字しないように設定することもできるし、いずれか一方のみを印字するように設定することもできる。また、エラーの発生履歴として印字するエラーの種類の指定、開放履歴として印字する部位の指定を行うことも可能となっている。例えば、エラーの発生履歴は印字せずに扉１２等の開放履歴のみを印字するように設定することができる。また、例えば、開放履歴を印字する際に、扉１２を開いて下部ユニットが引き出されたことが検知されている場合でも、扉１２の検知結果は印字せず下部ユニットの検知結果のみを印字するように設定することができる。
【００４７】
図５は、メニュー画面で「精査後エラー扉開」を選択した際にプリンター２から出力されるジャーナルの例を示す図である。図３に示すメニュー画面で「精査後エラー扉開」を選択すると、貨幣処理装置１の制御部４０は、記憶部５０を参照して、センサログデータ５１及びエラーログデータ５４に基づいて、プリンター２からジャーナルを出力する。ジャーナルの一番下には「Ａ−００１」の貨幣処理装置１で出力されたジャーナルであることを示す情報が含まれている。
【００４８】
図５の例は、このジャーナルが、２０１４年７月１５日の１５：３０に出力されたものであることを示している。また、このジャーナルは、最後の精査処理（最新の精査処理）が行われたのが２０１４年７月１２日の１５：４０で、その前に精査処理が行われたのが２０１４年７月８日の１６：２０である場合の例である。
【００４９】
図５に示すように、このジャーナルには、「最新自動精査実施日時」として、最後に精査処理が実行された日時が印字される。また、ジャーナルを出力したのが７月１５日の１５：３０、最後に精査処理が行われたのが２０１４年７月１２日の１５：４０であることから、「自動精査後」として、最新の精査処理（２０１４年７月１２日１５：４０）が行われた後に、センサログデータ５１及びエラーログデータ５４に記録されたデータの件数と、当日（７月１５日）に記録されたデータの件数とが印字される。図５の例では、最後に精査処理が行われた後、センサログデータ５１及びエラーログデータ５４に５件のデータが記録されており、このうち２件がジャーナルを出力した当日記録されたものであることを示している。また、ジャーナルには、「エラー／扉開履歴」として、センサログデータ５１及びエラーログデータ５４に記録されている５件のデータの内容が印字される。このように、プリンター２からジャーナルを出力させることにより、貨幣処理装置１の各部位の開閉に関するデータや、エラーに関するデータを確認することができる。
【００５０】
図６は、メニュー画面で「装置内在高」を選択した際にプリンター２から出力されるジャーナルの例を示す図である。図３に示すメニュー画面で「装置内在高」を選択すると、貨幣処理装置１の制御部４０は、記憶部５０を参照して、貨幣処理データ５２に基づいて、貨幣処理装置１内に収納されている貨幣の在高を印字したジャーナルをプリンター２から出力する。ジャーナルの一番上にはジャーナルの発行日時を示す情報が含まれ、一番下には「Ａ−００１」の貨幣処理装置１で出力されたジャーナルであることを示す情報が含まれている。
【００５１】
図６（ａ）は、貨幣処理装置１内に収納されている全ての貨幣を対象とする在高を示すジャーナルである。図６（ｂ）は、貨幣処理装置１内に固定して利用する紙幣収納部２６及び硬貨収納部３６、すなわち紙幣スタッカー及び硬貨スタッカーに収納されている貨幣の在高を示すジャーナルである。図６（ｃ）は、貨幣処理装置１に対して脱着して利用するカセット式の紙幣収納部２６及び硬貨収納部３６、すなわち紙幣カセット及び硬貨カセットに収納されている貨幣の在高を示すジャーナルである。このように、貨幣処理装置１では、装置内の在高と、スタッカーの在高と、カセットの在高とを分けて、それぞれのジャーナルを出力することができる。
【００５２】
図６に示すように、各ジャーナルには、紙幣の金種別の枚数及び金額が印字された後に「紙幣合計」として紙幣の合計金額が印字され、続いて、硬貨の金種別の枚数及び金額を印字した後に、「硬貨合計」として硬貨の合計金額が印字され、最後に「総合計」として紙幣及び硬貨の合計金額が印字される。なお、図６（ａ）〜（ｃ）では３つのジャーナルを分けて示しているが、ジャーナルの印字方法に関する設定を変更することにより、これらを１枚のジャーナルとして印字することも可能である。
【００５３】
図７は、メニュー画面で「ＡＣＡＤカウンタ」を選択した際にプリンター２から出力されるジャーナルの例を示す図である。図３に示すメニュー画面で「ＡＣＡＤカウンタ」を選択すると、貨幣処理装置１の制御部４０は、記憶部５０を参照して、貨幣処理データ５２に基づいて、貨幣処理装置１で処理された全ての貨幣を示す情報を印字したジャーナルをプリンター２から出力する。ジャーナルの一番上にはジャーナルの発行日時を示す情報が含まれ、一番下には「Ａ−００１」の貨幣処理装置１で出力されたジャーナルであることを示す情報が含まれている。
【００５４】
図７（ａ）は、貨幣処理装置１で処理された全ての貨幣を示すジャーナルである。具体的には、入金された貨幣、出金された貨幣、装填された貨幣及び回収された貨幣の全てをカウントした結果を示している。図７（ｂ）は貨幣処理装置１に入金された貨幣をカウントした結果を示すジャーナルであり、同図（ｃ）は貨幣処理装置１から出金された貨幣をカウントした結果を示すジャーナルであり、同図（ｄ）は貨幣処理装置１に装填された貨幣をカウントした結果を示すジャーナルであり、同図（ｅ）は貨幣処理装置１から回収された貨幣をカウントした結果を示すジャーナルである。
【００５５】
図７に示すように、各ジャーナルには、紙幣の金種別の枚数及び金額が印字された後に「紙幣合計」として紙幣の合計金額が印字され、続いて、硬貨の金種別の枚数及び金額を印字した後に、「硬貨合計」として硬貨の合計金額が印字され、最後に「総合計」として紙幣及び硬貨の合計金額が印字される。なお、図７（ａ）〜（ｅ）では５つのジャーナルを分けて示しているが、ジャーナルの印字方法に関する設定を変更することにより、これらを１枚のジャーナルとして印字することも可能である。
【００５６】
図８は、メニュー画面で「装填・回収」を選択した際にプリンター２から出力されるジャーナルの例を示す図である。図３に示すメニュー画面で「装填・回収」を選択すると、貨幣処理装置１の制御部４０は、記憶部５０を参照して、貨幣処理データ５２に基づいて、最後に行われた装填処理又は回収処理に関するデータを印字したジャーナルをプリンター２から出力する。ジャーナルの一番上にはジャーナルの発行日時を示す情報が含まれ、一番下には「Ａ−００１」の貨幣処理装置１で出力されたジャーナルであることを示す情報が含まれている。
【００５７】
図８は、装填処理及び回収処理のうち貨幣処理装置１で最後に行われたのが装填処理である場合の例を示している。図８に示すように、ジャーナルには、紙幣の金種別の枚数及び金額が印字された後に「合計」として紙幣の合計金額が印字され、続いて、硬貨の金種別の枚数及び金額を印字した後に、「合計」として硬貨の合計金額が印字され、最後に「総合計」として紙幣及び硬貨の合計金額が印字される。なお、貨幣処理装置１で最後に行われたのが回収処理である場合には、同様に、回収された貨幣に関する情報が、回収された紙幣の金種別の内訳、回収された紙幣の合計金額、回収された硬貨の金種別の内訳、回収された硬貨の合計金額の順に印字されたジャーナルが出力される。
【００５８】
次に、図９及び図１０を参照しながら貨幣処理装置１を利用して行う処理の流れについて説明する。図９は、銀行での営業時間の終了後に貨幣処理装置１で行う処理の流れを示すフローチャートである。
【００５９】
銀行窓口での営業を終了すると、窓口で貨幣処理装置１を利用する窓口係等の担当者は、貨幣処理装置１の操作表示部１０を操作して、営業時間中に貨幣処理装置１で記録されたエラーや扉１２の開閉等のログデータを確認する（ステップＳ１）。具体的には、図３に示すメニュー画面を呼び出して「精査後エラー扉開」を実行して、図５に示すように、貨幣処理装置１で記録されたエラーや各部位の開閉に関する情報が印字されたジャーナルを出力する。このジャーナルには、最後に精査処理が行われてから現在に至るまでの間に記録されたエラーが発生した日時や扉１２等が開放された日時等が印字されるので、営業時間中のエラーの発生状況や扉１２、上部ユニット、下部ユニット等の開閉状況を確認することができる。
【００６０】
営業時間中にエラーは発生しておらず、扉１２や上下ユニットを開いた履歴もなければ（ステップＳ２；Ｙｅｓ）、担当者は、貨幣処理装置１で装置内に収納されている貨幣を管理する在高データと、貨幣処理装置１に実際に収納されている貨幣との間で違算が生じる原因となる事象は発生していないと判断して、精査処理は行わずに、貨幣処理装置１内で管理されている貨幣在高を示すジャーナルと、貨幣処理装置１で処理された全ての貨幣を示すジャーナルとを出力する（ステップＳ７）。具体的には、メニュー画面で「装置内在高」を選択して図６に示すように貨幣処理装置１内の貨幣の在高を示すジャーナルを出力すると共に、「ＡＣＡＤカウンタ」を選択して図７に示すように貨幣処理装置１で処理された全ての貨幣を示すジャーナルを出力する。
【００６１】
担当者は、装置内在高に関するジャーナルと貨幣処理装置１で処理された貨幣に関するジャーナルとをプリンター２から出力すると、これらのジャーナルに印字された情報と、操作端末３で管理されている貨幣処理装置１に関するデータとが一致することを確認して（ステップＳ８）、処理を終了する。
【００６２】
そして、貨幣処理装置１を担当する担当者は、エラー及び装置開閉に関する情報が印字されたジャーナルと、装置内在高に関する情報が印字されたジャーナルと、貨幣処理装置１で処理された全ての貨幣に関する情報が印字されたジャーナルとを保管する。これにより、銀行での各営業日における貨幣処理装置１に関する情報と、貨幣処理装置１で処理された貨幣に関する情報とを記録として残すことができる。
【００６３】
営業時間中にエラーが発生しているか又は扉１２や上下ユニットを開いた履歴があれば（ステップＳ２；Ｎｏ）、担当者は、貨幣処理装置１で管理する在高データと、貨幣処理装置１に実際に収納されている貨幣との間で違算が生じている可能性があると判断して、精査処理を実行する（ステップＳ３）。精査処理を実行して、貨幣処理装置１に収納されている貨幣を計数した計数結果が得られると、担当者は、図３に示すメニュー画面で「自動精査結果」を選択してプリンター２からジャーナルを出力する。このジャーナルには、図４に示すように、貨幣処理装置１で管理されていた在高データと、精査処理による計数結果と、在高データと精査処理の計数結果とが一致しない貨幣を示す情報と、エラー履歴及び扉１２等の開閉履歴とが含まれている。
【００６４】
担当者は、ジャーナルに含まれる情報を確認して、在高データと精査処理の計数結果との間に差額がなければ、違算無しとして（ステップＳ４；Ｙｅｓ）、上述したように、貨幣処理装置１内に収納されている貨幣の在高の確認と（ステップＳ７）、操作端末３で管理されている、貨幣処理装置１に関するデータの確認と（ステップＳ８）を行って、処理を終了する。そして、貨幣処理装置１を担当する担当者は、エラー及び装置開閉に関する情報が印字されたジャーナルと、精査処理の結果が印字されたジャーナルと、装置内在高に関する情報が印字されたジャーナルと、貨幣処理装置１で処理された全ての貨幣に関する情報が印字されたジャーナルとを保管する。
【００６５】
在高データと精査処理の計数結果とを比較した際に違算があれば（ステップＳ４；Ｎｏ）、担当者は、ジャーナルに含まれるエラー履歴や扉１２等の開閉履歴を確認して、違算が生じた原因を調査する（ステップＳ５）。ステップＳ３で出力されたジャーナルには、貨幣処理装置１で記録されたエラーの種類と、エラーが検知された部位とが印字されている。また、このジャーナルには、上部ユニットの引き出し、下部ユニットの引き出し、下部ユニットを引き出すための扉１２の開放等、貨幣処理装置１内の硬貨や紙幣を取り出すことができる各部位の開放を示す情報が印字されている。例えば、ジャーナルに印字された情報から、在高データと精査処理結果との間で一万円札の枚数が一致しないことを認識した担当者は、一万円札の処理に関係するエラーや装置各部の開閉履歴を確認して違算の原因を調査することができる。
【００６６】
このとき、貨幣処理装置１では、違算が検出された一万円札に関する情報に下線を付したりアスタリスク等の所定のマークを付したりすることにより、違算に関連する情報と他の情報とをジャーナル上で区別できるように印字することができる。これにより、担当者は、下線やマークが付された情報に基づいて、違算の原因調査を進めることができる。
【００６７】
違算が生じた場合には、貨幣処理装置１内に収納された貨幣全てを一旦装置外に取り出す全回収の処理を行って貨幣処理装置１を空にした後、再び貨幣を貨幣処理装置１に装填する装填処理を行う（ステップＳ６）。全回収及び装填を行った際には、担当者は、図３に示すメニュー画面で「装填・回収」を選択してジャーナルを出力する。
【００６８】
全回収の処理を行った後に「装填・回収」を実行すると、最後に行われた装填・回収処理に関する情報として、貨幣処理装置１から回収された紙幣及び硬貨の金種別の内訳や合計金額が印字されたジャーナルが出力される。また、装填処理を行った後に「装填・回収」を実行すると、最後に行われた装填・回収処理に関する情報として、図８に示すように、装填された紙幣及び硬貨の金種別の内訳や合計金額が印字されたジャーナルが出力される。
【００６９】
担当者は、回収した貨幣に関するジャーナルと装填した貨幣に関するジャーナルとを出力した後、上述したように、貨幣処理装置１内に収納されている貨幣の在高の確認と（ステップＳ７）、操作端末３で管理されているデータの確認と（ステップＳ８）を行って、処理を終了する。そして、貨幣処理装置１を担当する担当者は、エラー及び装置開閉に関する情報が印字されたジャーナルと、精査処理の結果が印字されたジャーナルと、回収処理及び装填処理に関する情報が印字されたジャーナルと、装置内在高に関する情報が印字されたジャーナルと、貨幣処理装置１で処理された全ての貨幣に関する情報が印字されたジャーナルとを保管する。
【００７０】
このように、担当者は、プリンター２で印字された各ジャーナルによって、貨幣処理装置１で発生したエラー、扉１２等の開閉履歴、在高データ、精査処理結果、回収された貨幣及び装填された貨幣の計数結果等を容易に確認することができる。各ジャーナルには、ジャーナルの出力日時が含まれているので、ジャーナルを保管することにより、図９に示す処理のうち実際に行った処理や、各処理で確認した情報を記録として残すことができる。また、各ジャーナルには、ジャーナルを出力した貨幣処理装置１を識別する情報が含まれているので、ジャーナルを保管することにより、銀行で貨幣処理装置１を複数台利用している場合でも、各装置で行った処理や、この処理で確認した情報を記録として残すことができる。
【００７１】
こうして、営業時間の終了後、必要な場合にのみ精査処理を行って、貨幣処理装置１に実際に収納されている貨幣と、貨幣処理装置１で在高データとして管理されているデータとが一致することを確認した後、担当者は、貨幣処理装置１の電源をオフにする。
【００７２】
貨幣処理装置１では、電源がオフになった後も、制御部４０、記憶部５０及び開閉・脱着検知センサ７０は動作を続けている。そして、上部ユニットの引き出し、扉１２の開放、下部ユニットの引き出し、紙幣カセットの取り外し、硬貨カセットの取り外し等が行われると、これを検知して、開閉等がなされた部位と検知日時とを、センサログデータ５１として記憶部５０に記録する。このため、夜間であっても、貨幣処理装置１で扉１２等が開閉されると、これを翌朝等に確認することができる。
【００７３】
図１０は、例えば銀行の営業を開始する前に、貨幣処理装置１で行う処理の流れを示すフローチャートである。貨幣処理装置１を担当する担当者は、貨幣処理装置１の電源をオンにした後、操作表示部１０を操作して、電源がオフにされていた間に貨幣処理装置１で記録されたエラーや扉１２の開閉等のログデータを確認する（ステップＳ１１）。具体的には、図３に示すメニュー画面を呼び出して「精査後エラー扉開」を実行して、図５に示すように、貨幣処理装置１で記録されたエラーや装置各部の開閉及び脱着に関する情報が印字されたジャーナルを出力する。このジャーナルには、最後に精査処理が行われてから現在に至るまでの間に記録されたエラーが発生した日時や扉１２等が開放された日時が印字されるので、当日の朝までに発生したエラーの発生状況や扉１２、上部ユニット、下部ユニット等の開閉状況を確認することができる。
【００７４】
例えば、前日に営業を終了してから当日の朝までの間にエラーは発生しておらず、扉１２や上下ユニット等を開放した履歴もなければ（ステップＳ１２；Ｙｅｓ）、担当者は、貨幣処理装置１で管理する在高データと、貨幣処理装置１に実際に収納されている貨幣との間で違算が生じる原因となる事象は発生していないと判断して、精査処理は行わずに、貨幣処理装置１内で管理されている貨幣の在高を示すジャーナルを出力する（ステップＳ１７）。具体的には、メニュー画面で「装置内在高」を選択して、図６に示すように貨幣処理装置１内の貨幣の在高を示すジャーナルを出力する。
【００７５】
担当者は、装置内在高に関するジャーナルを出力すると、これらのジャーナルに印字された情報を操作端末３に登録して（ステップＳ１８）、処理を終了する。これにより、貨幣処理装置１を利用して銀行窓口での業務を開始できる状態となる。
【００７６】
貨幣処理装置１を担当する担当者は、エラー及び装置開閉に関する情報が印字されたジャーナルと、装置内在高に関する情報が印字されたジャーナルとを保管する。これにより、銀行での各営業日における営業開始時の貨幣処理装置１に関する情報と、貨幣処理装置１に収納されている貨幣に関する情報とを記録として残すことができる。
【００７７】
前日に営業を終了してから当日の朝までの間にエラーが発生しているか又は扉１２や上下ユニット等を開いた履歴があれば（ステップＳ１２；Ｎｏ）、担当者は、貨幣処理装置１で管理する在高データと、貨幣処理装置１に実際に収納されている貨幣との間で違算が生じている可能性があると判断して、精査処理を実行する（ステップＳ１３）。精査処理を実行して、貨幣処理装置１に収納されている貨幣を計数した結果が得られると、担当者は、図３に示すメニュー画面で「自動精査結果」を選択してジャーナルを出力する。このジャーナルには、図４に示すように、在高データと、精査処理の計数結果と、在高データと精査処理の計数結果とが一致しない貨幣の情報と、エラー履歴及び扉１２等の開閉履歴とが含まれている。
【００７８】
担当者は、ジャーナルに含まれる情報を確認して、在高データと精査処理の計数結果との間に差額がなければ、違算無しとして（ステップＳ１４；Ｙｅｓ）、上述したように、貨幣処理装置１内に収納されている貨幣の在高を確認して（ステップＳ１７）、貨幣処理装置１内の貨幣の在高に関する情報を操作端末３に登録し（ステップＳ１８）、処理を終了する。そして、貨幣処理装置１を担当する担当者は、エラー及び装置開閉に関する情報が印字されたジャーナルと、精査処理の結果が印字されたジャーナルと、装置内在高に関する情報が印字されたジャーナルとを保管する。
【００７９】
在高データと精査処理の計数結果とを比較した際に違算があれば（ステップＳ１４；Ｎｏ）、担当者は、ジャーナルに含まれるエラーの発生履歴や扉１２等の開閉履歴を確認して、違算が生じた原因を調査する（ステップＳ１５）。ステップＳ１３で出力されたジャーナルには、貨幣処理装置１で記録されたエラーの種類と、エラーが検知された部位とが印字されている。また、このジャーナルには、貨幣処理装置１内の硬貨や紙幣を取り出すことができる上部ユニットの引き出し、下部ユニットの引き出し、下部ユニットを引き出すための扉１２の開放等を示す情報が印字されている。これにより、担当者は、ジャーナルを参照しながら違算の原因を調査することができる。
【００８０】
違算が生じた場合には、貨幣処理装置１内に収納された貨幣全てを一旦装置外に取り出す全回収を行って、貨幣処理装置１を空にした後、再び貨幣を貨幣処理装置１に装填する装填処理を行う（ステップＳ１６）。全回収及び装填を行った際には、担当者は、図３に示すメニュー画面で「装填・回収」を選択する。
【００８１】
全回収の処理を行った後に「装填・回収」を実行すると、最後に行われた装填・回収処理に関する情報として、貨幣処理装置１から回収された紙幣及び硬貨の金種別の内訳や合計金額が印字されたジャーナルが出力される。また、装填処理を行った後に「装填・回収」を実行すると、最後に行われた装填・回収処理に関する情報として、図８に示すように、装填された紙幣及び硬貨の金種別の内訳や合計金額が印字されたジャーナルが出力される。
【００８２】
担当者は、回収した貨幣に関するジャーナルと装填した貨幣に関するジャーナルとを出力した後、上述したように、貨幣処理装置１内に収納されている貨幣の在高を確認して（ステップＳ１７）、貨幣処理装置１内の貨幣の在高に関する情報を操作端末３に登録し（ステップＳ１８）、処理を終了する。そして、貨幣処理装置１を担当する担当者は、エラー及び装置開閉に関する情報が印字されたジャーナルと、精査処理の結果が印字されたジャーナルと、回収処理及び装填処理に関する情報が印字されたジャーナルと、装置内在高に関する情報が印字されたジャーナルとを保管する。
【００８３】
こうして、営業開始前に、必要な場合にのみ精査処理を行って、貨幣処理装置１に実際に収納されている貨幣と、在高データとして管理されているデータとが一致することを確認し、貨幣処理装置１に収納されている貨幣の在高を操作端末３へ登録した後、貨幣処理装置１を利用して営業を開始する。
【００８４】
貨幣処理装置１では、電源をオンにした後、図１０に示す処理を実行しなければ、貨幣処理装置１による貨幣処理を開始できないように設定することができる。具体的には、例えば、エラーの発生履歴や装置各部の開閉履歴を確認するためにジャーナルを出力する処理（ステップＳ１１）が行われたか否かを判定して、この処理が行われなければ、以降の処理（ステップＳ１２〜Ｓ１８）や貨幣処理を実行できないように設定することができる。この設定では、ジャーナルを印字してエラーの発生履歴や装置各部の開閉履歴を確認することなく、貨幣処理装置１で貨幣処理を開始しようとしても、貨幣処理は実行されず、操作表示部１０や操作端末３の画面上に、図１０に示す処理を実行するよう指示する情報が表示される。
【００８５】
また、この他、貨幣処理装置１では、貨幣処理装置１の電源をオンにした後、エラーの発生履歴や装置各部の開閉履歴を印字したジャーナルが出力されるまでの間は、入金処理や出金処理等の指示は受け付けず、精査処理の指示のみを受け付けるようにして、精査処理を実行して処理結果を示すジャーナルが出力された場合には、エラーの発生履歴や装置各部の開閉履歴を印字したジャーナルを出力しなくても貨幣処理装置１による貨幣処理を開始できるように設定することもできる。
【００８６】
なお、図１０を参照しながら説明した各処理について、営業開始前に実行される例を示したが、図９に示す処理を実行して貨幣処理装置１の電源をオフにした後、貨幣処理装置１の電源をオンにした場合には、これらの各処理が実行されることになる。
【００８７】
このように、担当者は、プリンター２で印字された各ジャーナルによって、貨幣処理装置１で発生したエラー、扉１２等の開閉履歴、在高データ、精査処理結果、回収された貨幣及び装填された貨幣の計数結果等を容易に確認することができる。各ジャーナルには、ジャーナルの出力日時が含まれているので、ジャーナルを保管することにより、図１０に示す処理のうち実際に行った処理や、各処理で確認した情報を記録として残すことができる。また、各ジャーナルには、ジャーナルを出力した貨幣処理装置１を識別する情報が含まれているので、ジャーナルを保管することにより、銀行で貨幣処理装置１を複数台利用している場合でも、各装置で行った処理や、この処理で確認した情報を記録として残すことができる。
【００８８】
なお、本実施形態では、貨幣処理装置１に関する情報や、貨幣処理装置１で行われた貨幣処理に関する情報をプリンター２からジャーナルとして出力する例を示したが、ジャーナルに印字する内容を、操作端末３の画面や、貨幣処理装置１の通信インターフェイス６０に接続された表示装置等に出力して表示することもできる。また、図４〜図８に示すジャーナルを、通信インターフェイス６０に接続されたタブレット型の携帯端末にデータとして出力することも可能であるし、通信インターフェイス６０に接続されたサーバ等にデータとして蓄積することもできる。ジャーナルとして出力する情報を、どのようなフォーマットでどのように出力するかについては設定により変更できるようになっている。
【００８９】
また、図９に示すステップＳ１〜Ｓ８の処理のうち、ステップＳ５及びＳ６に示す処理は担当者が行うものとして、ステップＳ１〜Ｓ４、Ｓ７及びＳ８の処理については制御部４０が実行するように設定することもできる。具体的には、担当者が、操作表示部１０を操作して、営業時間終了後の処理を開始するよう指示すると、制御部４０が、処理の進行状況や処理内容に関する情報を画面上に表示しながら、ステップＳ１〜Ｓ４及びＳ７及びＳ８を自動的に実行する態様とすることができる。
【００９０】
同様に、図１０に示すステップＳ１１〜Ｓ１８の処理についても、ステップＳ１１〜Ｓ１４、Ｓ１７及びＳ１８の処理については制御部４０が行うよう設定することもできる。具体的には、担当者が、操作表示部１０を操作して、営業時間開始前の処理を開始するよう指示すると、制御部４０が、処理の進行状況や処理内容に関する情報を画面上に表示しながら、ステップＳ１１〜Ｓ１４及びＳ１７及びＳ１８を自動的に実行する態様とすることができる。
【００９１】
上述してきたように、本実施形態に係る貨幣処理装置１によれば、操作表示部１０を操作して、ジャーナル印字を指示するだけで、最後に精査処理を行った後に検知されたエラーや装置各部の開閉に関する情報が含まれるジャーナルを出力することができるので、ジャーナルに含まれる情報を確認して、貨幣処理装置１で精査処理を実行するか否かを判断することができる。
【００９２】
また、精査処理を実行した場合に、貨幣処理装置１内で貨幣の金種や枚数等を管理している在高データと、精査処理で計数した結果と、これらを比較した比較結果と、今回の精査処理とこの精査処理の前に行われた前回の精査処理との間に検知されたエラーや装置各部の開閉に関する情報とを印字したジャーナルを出力することができる。在高データと精査処理による計数結果とが異なる違算が発生している場合には、ジャーナルに含まれる情報からこれを認識することができる。また、違算が発生した場合には、ジャーナルに含まれるエラーや装置各部の開閉に関する情報に基づいて、違算の原因を調査することができる。
【００９３】
また、ジャーナルには、ジャーナルの出力日時、精査処理が行われた日時等も含まれているので、ジャーナルを保管することにより、貨幣処理装置１の状況や貨幣処理装置１で行われた貨幣に関する情報の記録を残して管理することができる。
【産業上の利用可能性】
【００９４】
以上のように、本発明に係る貨幣処理装置は、精査処理時に、貨幣処理装置で記録されているエラー等の情報を容易に確認するために有用である。
【符号の説明】
【００９５】
１  貨幣処理装置
２  プリンター
３  操作端末
１０  操作表示部
１１、１１ａ、１１ｂ  操作ボタン
１２  扉
２０  紙幣処理部
２１  紙幣入金口
２２  紙幣出金口
２３  紙幣リジェクト部
２４  紙幣搬送部
２５  紙幣識別部
２６  紙幣収納部
３０  硬貨処理部
３１  硬貨入金口
３２  硬貨出金口
３３  硬貨ボックス
３４  硬貨搬送部
３５  硬貨識別部
３６  硬貨収納部
４０  制御部
５０  記憶部
６０  通信インターフェイス
７０  開閉・脱着検知センサ
【図１】
2016181218.tif 000003
【図２】
2016181218.tif 000004
【図３】
2016181218.tif 000005
【図４】
2016181218.tif 000006
【図５】
2016181218.tif 000007
【図６】
2016181218.tif 000008
【図７】
2016181218.tif 000009
【図８】
2016181218.tif 000010
【図９】
2016181218.tif 000011
【図１０】
2016181218.tif 000012